(57)【要約】【課題】入力ペンの押し圧による命令の種類には限界があった。【解決手段】データ処理装置は、入力ペンの押し圧である直流成分に加え、圧力の変化量である交流成分を検出する圧力検出部１と、圧力の交流成分あるいは直流成分と交流成分（振幅値）の組み合わせに基づいてデータ処理の条件を変更する制御部２と、制御部２からの命令に対応した表示変更を表示部に加える表示制御部３と、を備える。また、制御部２は、圧力検出部１が検出した圧力の交流成分の値に基づいて表示部に表示されるデータのスクロール処理のスクロールの向きを制御し、圧力検出部１が検出した圧力の直流成分の値に基づいて表示部に表示されるデータのスクロール処理のスクロール速度を制御する。【選択図】図１
2011181037.tif 000002
【特許請求の範囲】
【請求項１】
入力ペンの押し圧である直流成分に加え、押し圧の変化量である交流成分を検出する圧力検出部と、
前記圧力検出部が検出した圧力の交流成分の値に基づいてデータ処理の条件を変更する制御部と、を備える
データ処理装置。
【請求項２】
表示部を備え、
前記制御部は、前記圧力検出部が検出した圧力の交流成分の値に基づいて前記表示部に表示されるデータのスクロール処理のスクロールの向きを制御し、前記圧力検出部が検出した圧力の直流成分の値に基づいて前記表示部に表示されるデータのスクロール処理のスクロール速度を制御する
請求項１に記載のデータ処理装置。
【請求項３】
前記制御部は、前記圧力検出部が検出した圧力の交流成分の値が所定値未満の場合は前記表示部に表示されるデータを順方向にスクロールさせ、所定値以上の場合は逆方向にスクロールさせる
請求項２に記載のデータ処理装置。
【請求項４】
表示部を備え、
前記制御部は、前記圧力検出部が検出した圧力の交流成分の値に基づいて前記表示部に表示されるデータのページ送り処理のページ送りの向きを制御し、前記圧力検出部が検出した圧力の直流成分の値に基づいて前記表示部に表示されるデータのページ送り処理の送り速度を制御する、
請求項１に記載のデータ処理装置。
【請求項５】
前記制御部は、前記圧力検出部が検出した圧力の交流成分の値が所定値未満の場合は前記表示部に表示されるデータを順方向にページ送りさせ、所定値以上の場合は逆方向にページ送りさせる
請求項４に記載のデータ処理装置。
【請求項６】
表示部を備え、
前記制御部は、前記圧力検出部が検出した圧力の交流成分の値に基づいて前記表示部に表示される画像データの拡大処理又は縮小処理を選択し、前記圧力検出部が検出した圧力の直流成分の値に基づいて前記表示部に表示される画像データの拡大縮小処理の倍率の変化量を制御する、
請求項１に記載のデータ処理装置。
【請求項７】
前記制御部は、前記圧力検出部が検出した圧力の交流成分の値が所定値未満の場合は前記表示部に表示される画像データの拡大縮小処理として拡大処理をさせ、所定値以上の場合は縮小処理をさせる
請求項６に記載のデータ処理装置。
【請求項８】
圧力検出部が、入力ペンの押し圧である直流成分に加え、押し圧の変化量である交流成分を検出する圧力検出ステップと、
制御部が、前記圧力検出ステップが検出した圧力の交流成分の値に基づいてデータ処理の条件を変更する制御ステップと、を備える
データ処理方法。
【請求項９】
データ処理装置に、
入力ペンの押し圧である直流成分に加え、押し圧の変化量である交流成分を検出する圧力検出ステップと、
前記圧力検出ステップが検出した圧力の交流成分の値に基づいてデータ処理の条件を変更する制御ステップと、を実行させるための
データ処理プログラム。
【発明の詳細な説明】
【技術分野】
【０００１】
本発明は、データ処理装置、データ処理方法及びデータ処理プログラムに関し、特に、スタイラスの押し圧の変化を命令として認識し、実行するデータ処理装置、データ処理方法及びデータ処理プログラムに関するものである。
【背景技術】
【０００２】
表示装置を備えるデータ処理装置において、表示装置の表示画面に一度に表示しきれない表示データを、データ処理装置が有するスクロール機能によって、スクロールさせて表示する手法が数多く提案されている（図６）。
【０００３】
特許文献１には、入力ペンやマウスなどの、いわゆるポインティングデバイスである指示手段を有し、当該指示手段による指示に基づいて簡単にデータを処理することができるデータ処理装置において、検出される筆圧レベルに応じて、高速でのスクロールや、低速でのスクロールを実行することが記載されている（図７）。
【先行技術文献】
【特許文献】
【０００４】
【特許文献１】特開平９−１２８１３２号公報
【発明の概要】
【発明が解決しようとする課題】
【０００５】
しかしながら、前記従来の構成では、入力ペンの押し圧によるスクロール速度のみにしか言及しておらず、スクロールの方向についてはスクロール方向の変更のための別の操作等が必要であった。
【０００６】
本発明は、前記従来の課題を解決するもので、例えば、スタイラスによるスクロール方向を容易に決定できるようにして、操作性を向上させることを目的とする。また、例えば、スクロールの他に、画像のページ送り、画像データの拡大・縮小機能にもこの手法を用いることにより、これらの機能を容易に達成できるようにして、操作性を向上させることを目的とする。
【課題を解決するための手段】
【０００７】
前記従来の課題を解決するために、本発明のデータ処理装置は、入力ペンの押し圧である直流成分に加え、押し圧の変化量である交流成分（例えば、振幅値）を検出する圧力検出部と、前記圧力検出部が検出した圧力の交流成分の値に基づいてデータ処理の条件を変更する制御部と、を備える。
【０００８】
また、本発明のデータ処理方法は、圧力検出部が、入力ペンの押し圧である直流成分に加え、押し圧の変化量である交流成分を検出する圧力検出ステップと、制御部が、前記圧力検出ステップが検出した圧力の交流成分の値に基づいてデータ処理の条件を変更する制御ステップと、を備える。
【０００９】
また、本発明のデータ処理プログラムは、データ処理装置に、入力ペンの押し圧である直流成分に加え、押し圧の変化量である交流成分を検出する圧力検出ステップと、前記圧力検出ステップが検出した圧力の交流成分の値に基づいてデータ処理の条件を変更する制御ステップと、を実行させるためのデータ処理プログラムである。
【００１０】
これらの構成により、例えば、入力ペンの押し圧パターンに応じてスクロールの速度・方向を決定でき、操作性が向上する。また、この構成により、例えば、スクロールの制御に加え、画像のページ送り制御、画像データの拡大・縮小機能を実行でき、操作性が向上する。
【発明の効果】
【００１１】
本発明のデータ処理装置等によれば、例えば、スクロールの速度に加え、スクロールの方向を決定でき、操作性が向上する。また、例えば、画像の遷移、画像データの拡大・縮小機能も容易に実現でき、操作性が向上する。
【図面の簡単な説明】
【００１２】
【図１】本発明の実施の形態１におけるデータ処理装置のブロック図
【図２】本発明の実施の形態１のデータ処理装置におけるスクロールの動作を示すフローチャート
【図３】本発明の実施の形態１のデータ処理装置におけるスクロールの動作の概念図
【図４】本発明の実施の形態２のデータ処理装置におけるページ送り処理の概念図
【図５】本発明の実施の形態３のデータ処理装置における拡大縮小処理の概念図
【図６】従来のスクロール処理の概念図
【図７】従来のスクロール処理の概念図
【発明を実施するための形態】
【００１３】
以下、本発明の実施の形態について、図面を参照しながら説明する。
【００１４】
（実施の形態１）（スクロール）
図１は、本発明の実施の形態１におけるデータ処理装置のブロック図である。
【００１５】
データ処理装置は、圧力検出部１、制御部２、表示制御部３、表示部４を備えて構成される。
【００１６】
圧力検出部１は、本実施形態の入力部であり、感圧式タッチパネルなどの操作デバイスから構成される。ユーザがタッチパネルにバネで伸縮可能なスタイラスなどで圧力を加えると、圧力検出部１は圧力の直流成分と交流成分（振幅値）を算出する。
【００１７】
制御部２は圧力検出部１で算出された圧力の直流成分と交流成分に基づいて表示部４に表示される画面のスクロールのパラメータを算出する。直流成分は先行例と同じくスクロールの速度に比例するパラメータとする。交流成分はある閾値未満ならばスクロール方向を順方向とし、ある閾値以上ならばスクロール方向を逆方向とする。
【００１８】
表示制御部３は制御部２から速度と方向のパラメータを受け取り、それを表示部４の実際の画面表示に反映させる。
【００１９】
図２は実施の形態１のデータ処理装置におけるスクロールの動作を示すフローチャートである。
【００２０】
まず圧力検出部１において圧力を検知したかどうかを判定する（ステップＳ１１）。ここで圧力を検知していない場合は処理を終了し、検知した場合は次の処理に進む。次に、圧力検出部１で検出した圧力値から圧力の直流成分と交流成分（振幅値）を算出する（ステップＳ１２）。
【００２１】
次に、交流成分（振幅値）Ａがある閾値Ａｔｈ未満であった場合、スクロール方向を順方向とし、圧力の直流成分に比例した速度でスクロールを行う（ステップＳ１３、ステップＳ１４）。
【００２２】
あるいは、交流成分（振幅値）Ａがある閾値Ａｔｈ以上の場合、スクロール方向を逆方向とし、圧力の直流成分に比例した速度でスクロールを行う（ステップＳ１３、ステップＳ１５）。
【００２３】
図３に、本発明の実施の形態１のデータ処理装置におけるスクロールの動作の概念図を示す。
【００２４】
ユーザーが画面上にスタイラスを押し付けると、圧力検出部１は圧力を検知し、圧力の直流成分ＰＤと交流成分の振幅値Ａを算出する。ＰＤに比例した値、αＰＤを速度とし、振幅値ＡがＡｔｈ未満であれば順方向にその速度でスクロールを開始する。ユーザーが逆方向にスクロールをしたければ、振幅値ＡをＡｔｈ以上にすることで、ＰＤに比例した値、βＰＤの速度で逆方向にスクロールとなる。
【００２５】
かかる構成によれば、制御部２で圧力の直流成分、交流成分をパラメータとして扱うことにより、スクロールの速度に加え、方向を取り扱うことが可能となる。スタイラスを同一箇所で押圧することにより、順方向と逆方向のスクロール処理が実行できるので、効率の良いスクロール処理が可能となり、操作性が向上する。
【００２６】
なお、本実施の形態１において、交流成分のみを使用し、振幅値が閾値以上かどうかによって順方向か逆方向かを決定し、その周波数に比例して速度を決定、としてもよい。
【００２７】
あるいは、直流成分と交流成分の役割を逆にし、交流成分に比例してスクロール速度を、直流成分に比例してスクロール方向を決定、としてもよい。
【００２８】
（実施の形態２）（ページ送り）
本発明の実施の形態２におけるデータ処理装置のブロック図は実施の形態１と同様なので省略する。
【００２９】
制御部２は圧力検出部１で算出された圧力の直流成分と交流成分に基づいて表示部４に表示されるページ送りのパラメータを算出する。直流成分はページ送りの速度に比例するパラメータとする。交流成分はある閾値未満ならばページ送り方向を順方向とし、ある閾値以上ならばページ送り方向を逆方向とする。
【００３０】
表示制御部３は制御部２から速度と方向のパラメータを受け取り、それを表示部４の実際の画面表示に反映させる。
【００３１】
図４に、本発明の実施の形態２のデータ処理装置におけるページ送り処理の概念図を示す。
【００３２】
ユーザーが画面上にスタイラスを押し付けると、圧力検出部１は圧力を検知し、圧力の直流成分ＰＤと交流成分の振幅値Ａを算出する。ＰＤに比例した値、αＰＤを速度とし、振幅値ＡがＡｔｈ未満であれば順方向にその速度でページ送りを開始する。ユーザーが逆方向にページ送りをしたければ、振幅値ＡをＡｔｈ以上にすることで、ＰＤに比例した値、βＰＤの速度で逆方向にページ送りとなる。
【００３３】
かかる構成によれば、制御部２で圧力の直流成分、交流成分をパラメータとして扱うことにより、ページ送りの速度に加え、方向を取り扱うことが可能となる。スタイラスを同一箇所で押圧することにより、順方向と逆方向のページ送り処理が実行できるので、効率の良いページ送り処理が可能となり、操作性が向上する。
【００３４】
なお、本実施の形態２において、交流成分のみを使用し、振幅値が閾値以上かどうかによって順方向か逆方向かを決定し、その周波数に比例して速度を決定、としてもよい。
【００３５】
あるいは、直流成分と交流成分の役割を逆にし、交流成分に比例してページ送り速度を、直流成分に比例してページ送り方向を決定、としてもよい。
【００３６】
（実施の形態３）（拡大縮小処理）
本発明の実施の形態３におけるデータ処理装置のブロック図は実施の形態１と同様なので省略する。
【００３７】
制御部２は圧力検出部１で算出された圧力の直流成分と交流成分に基づいて表示部４に表示される拡大縮小処理のパラメータを算出する。直流成分は拡大縮小処理の倍率の変化量に比例するパラメータとする。交流成分はある閾値未満ならば拡大処理とし、ある閾値以上ならば縮小処理とする。
【００３８】
表示制御部３は制御部２から倍率の変化量と拡大／縮小のパラメータを受け取り、それを表示部４の実際の画面表示に反映させる。
【００３９】
図５に、本発明の実施の形態３のデータ処理装置における拡大縮小処理の概念図を示す。
【００４０】
ユーザーが画面上にスタイラスを押し付けると、圧力検出部１は圧力を検知し、圧力の直流成分ＰＤと交流成分の振幅値Ａを算出する。ＰＤに比例した値、αＰＤを倍率の変化量とし、振幅値ＡがＡｔｈ未満であればその倍率の変化量で画像拡大を開始する。ユーザーが画像を縮小したければ、振幅値ＡをＡｔｈ以上にすることで、ＰＤに比例した値、βＰＤの倍率の変化量で画像の縮小となる。
【００４１】
かかる構成によれば、制御部２で圧力の直流成分、交流成分をパラメータとして扱うことにより、拡大縮小処理の倍率の変化量に加え、拡大／縮小を取り扱うことが可能となる。スタイラスを同一箇所で押圧することにより、拡大と縮小の処理が実行できるので、効率の良い拡大縮小処理が可能となり、操作性が向上する。
【００４２】
なお、本実施の形態３において、交流成分のみを使用し、振幅値が閾値以上かどうかによって拡大か縮小かを決定し、その周波数に比例して倍率の変化量を決定、としてもよい。
【００４３】
あるいは、直流成分と交流成分の役割を逆にし、交流成分に比例して倍率の変化量を、直流成分に比例して拡大／縮小を決定、としてもよい。
【産業上の利用可能性】
【００４４】
本発明は、例えば、スクロールの速度に加え、スクロールの方向の決定を行うことが可能となるなど、操作性が向上するので、感圧式タッチパネルを有するデータ処理装置等のデータ処理装置、データ処理方法及びデータ処理プログラム等に有用である。
【符号の説明】
【００４５】
１    圧力検出部
２    制御部
３    表示制御部
４    表示部
【図１】
2011181037.tif 000003
【図２】
2011181037.tif 000004
【図３】
2011181037.tif 000005
【図４】
2011181037.tif 000006
【図５】
2011181037.tif 000007
【図６】
2011181037.tif 000008
【図７】
2011181037.tif 000009